(57)【要約】【課題】圧縮機の回転子内に配設される永久磁石の磁束が圧縮機構部の主軸受側に流れて鉄損（特に渦電流損）が発生して余分な電力を投入する必要があり、運転時の効率が低下するのを防止する。【解決手段】圧縮機の回転子と主軸受との間に磁気遮蔽手段を配設することで、主軸受への漏れ磁束の発生がなくなり、軸受部の鉄損（特に渦電流損）を低減することができ、電動機の入力の増加を抑制した効率の高い密閉型電動圧縮機を提供することができる。【選択図】図１
2014202068.tif 000002
【特許請求の範囲】
【請求項１】
密閉容器内に固定子と回転子とを備えた電動要素と、前記電動要素により駆動される圧縮要素とを収納し、前記電動要素は前記回転子の回転子鉄心に永久磁石を内蔵する誘導同期電動機であり、前記圧縮要素は、主軸部と偏心軸部を備え前記回転子鉄心が前記主軸部に焼嵌め固定されたシャフトと、円筒形の圧縮室を備えたシリンダブロックと、前記シリンダブロックに形成され前記シャフトの前記主軸部を軸支する主軸受とを備え、前記回転子と前記主軸受との間に磁気遮蔽手段を配設した密閉型電動圧縮機。
【請求項２】
磁気遮蔽手段は主軸受の外周面を透磁率の高い磁性体でできた円筒形のシートで覆うことを特徴とする請求項１に記載の密閉型電動圧縮機。
【請求項３】
磁気遮蔽手段は回転子が主軸受とオーバーラップするラップ部内の回転子側の外周に透磁率の高い磁性体でできた円筒形のシートで覆うことで形成した請求項１に記載の密閉型電動圧縮機。
【請求項４】
磁気遮蔽手段は回転子の上部端面に円筒状に主軸受を囲むように透磁率の高い磁性体でできた円筒形のシートを配設した請求項１に記載の密閉型電動圧縮機。
【請求項５】
透磁率の高い磁性体を多重にした請求項１から４に記載の密閉型電動圧縮機。
【請求項６】
透磁率の高い磁性体をパーマロイにした請求項１から５に記載の密閉型電動圧縮機。
【請求項７】
透磁率の高い磁性体を珪素鋼板にした請求項１から５に記載の密閉型電動圧縮機。
【請求項８】
請求項１から７のいずれか一項に記載の密閉型電動圧縮機を用いた冷蔵庫。
【発明の詳細な説明】
【技術分野】
【０００１】
本発明は、冷凍冷蔵装置等に使用される密閉型電動圧縮機に関するものである。
【背景技術】
【０００２】
従来、この種の密閉型電動圧縮機は、効率向上を目的に電動要素として誘導電動機でなく回転子に永久磁石を内蔵した誘導同期電動機を採用し入力を低減したものがある（例えば、特許文献１参照）。
【０００３】
図７は、特許文献１に記載された従来の密閉型電動圧縮機の縦断面図、図８は、従来の密閉型電動圧縮機の回転子と軸受部の断面図を示すものである。
【０００４】
図７に示すように、密閉容器１内には、電動要素２とこの電動要素２により回転駆動される圧縮要素４がそれぞれ収納され底部にオイル６を貯留している。圧縮要素４は電動要素２の上部に一体に配設され、複数のコイルバネ８により密閉容器１内に弾性的に支持されている。
【０００５】
圧縮要素４は、主軸部１０とツバ部１２を介して形成された偏心軸部１４を備えたシャフト１６と、圧縮室２０を形成するシリンダブロック２２と、シリンダブロック２２に設けられ主軸部１０を支持する主軸受２６と、圧縮室２０内で往復運動するピストン２８と、ピストン２８と偏心軸部１４とを連結するコンロッド３０を備え、レシプロ式圧縮機を形成している。
【０００６】
また、シリンダブロック２２は、剛性のある鋳物等の磁性体でできている。シャフト１６は、一端が密閉容器１内に貯留したオイル６に連通した給油機構３２と、主軸部１０に給油機構３２によって汲み上げられたオイル６の一部を上端面３４に供給する給油溝３８を有している。
【０００７】
電動要素２には、回転子４０の回転子鉄心４２に磁気エネルギーの大きい希土類の永久磁石４４が内蔵されており、誘導電動機として始動し、同期回転数近くで同期運転に移行する誘導同期電動機であり、シリンダブロック２２の下方に固定された固定子４６と主軸部１０に回転子鉄心４２を焼嵌め等で固定された回転子４０とから構成されている。
【０００８】
主軸受２６の上端には、回転子４０とシャフト１６との重力荷重を受けるスラスト軸受５２が形成されている。回転子鉄心４２の凹であるラップ部５４に主軸受２６の一部が収められている。
【０００９】
以上のように構成された密閉型電動圧縮機について、以下その動作を説明する。
【００１０】
電動要素２の固定子４６に外部電源（図示せず）より通電がされると、回転子４０は始動時に誘導電動機として始動し回転を始める。
【００１１】
そして回転子４０が加速され最大トルクを超え瞬時に同期速度に引き込まれ誘導同期電動機として定常運転を継続する。回転子４０が回転するとこれに伴ってシャフト１６が回転し、偏心軸部１４の運動がコンロッド３０を介してピストン２８に伝わることでピストン２８は圧縮室２０内で往復運動を行い、圧縮要素４が所定の圧縮動作を行う。
【００１２】
このときシャフト１６の給油機構３２は、オイル６を汲み上げ、各摺動部（図示せず）
を潤滑する。
【００１３】
また、図８に矢印の線で示した永久磁石４４の磁束の流れを概念的に説明すると、各永久磁石４４の内側を流れる磁束の流れは、上部２個の永久磁石４４ａから出る磁束が回転子鉄心４０の中央部を集中して通り図中下部に示す２個の永久磁石４４ｂに吸い込まれる。
【００１４】
そのため、ラップ部５４の外周付近の回転子鉄心４２を通る磁束密度は、非常に高くなる。
【先行技術文献】
【特許文献】
【００１５】
【特許文献１】特表２００８−５３８５９６号公報
【発明の概要】
【発明が解決しようとする課題】
【００１６】
しかしながら前記従来の構成では、ラップ部５４の外周付近の回転子鉄心４２を通る永久磁石４４の磁束が漏れ出して、主軸受２６側にも流れ、鉄損（特に渦電流損）が発生する。その結果、この鉄損（特に渦電流損）を補って運転を続けるために電動機として、その見合い分の余分な電力を投入する必要があり、運転時の入力が増加するという課題を有していた。
【００１７】
そこで、本発明は上記課題を解決するもので、主軸受２６での鉄損（特に渦電流損）を低減して入力の増加を抑制した高効率の電動圧縮機を提供することを目的とする。
【課題を解決するための手段】
【００１８】
前記従来の課題を解決するために、本発明の密閉型電動圧縮機は回転子と主軸受の間に、磁気遮蔽手段を配設したものである。
【００１９】
これにより、回転子に内蔵されている永久磁石の磁束の漏れを磁気遮蔽手段により遮蔽できるので、主軸受への漏れ磁束の発生がなくなり、軸受部の鉄損（特に渦電流損）を低減することが出来るという作用を有する。
【発明の効果】
【００２０】
本発明の密閉型電動圧縮機は、回転子と主軸受の間に磁気遮蔽手段を配設することで主軸受への漏れ磁束の発生がなくなり、軸受部の鉄損（特に渦電流損）を低減することができ、入力の増加を抑制した効率の高い密閉型電動圧縮機を提供することができる。
【図面の簡単な説明】
【００２１】
【図１】本発明の実施の形態１における密閉型電動圧縮機の縦断面図
【図２】本発明の実施の形態１における密閉型電動圧縮機の回転子と軸受部の断面図
【図３】本発明の実施の形態２における密閉型電動圧縮機の縦断面図
【図４】本発明の実施の形態２における密閉型電動圧縮機の回転子と軸受部の断面図
【図５】本発明の実施の形態３における密閉型電動圧縮機の縦断面図
【図６】本発明の実施の形態３における密閉型電動圧縮機の回転子と軸受部の断面図
【図７】本発明の実施の形態４における冷凍装置の模式図
【図８】従来の密閉型電動圧縮機の縦断面図
【図９】従来の密閉型電動圧縮機の回転子と軸受部の断面図
【発明を実施するための形態】
【００２２】
第１の発明は、密閉容器内に固定子と回転子とを備えた電動要素と、前記電動要素により駆動される圧縮要素とを収納し、前記電動要素は前記回転子の回転子鉄心に永久磁石を内蔵する誘導同期電動機であり、前記圧縮要素は、主軸部と偏心軸部を備え前記回転子鉄心が前記主軸部に焼嵌め固定されたシャフトと、円筒形の圧縮室を備えたシリンダブロックと、前記シリンダブロックに形成され前記シャフトの前記主軸部を軸支する主軸受とを備え、前記回転子と前記軸受との間に磁気遮蔽手段を配設するものである。
【００２３】
これにより、回転子に内蔵されている永久磁石の磁束の漏れを磁気遮蔽手段により遮蔽できるので主軸受への漏れ磁束の発生がなくなり、軸受部の渦電流損失を低減することができ、入力の増加を抑制した効率の高い密閉型電動圧縮機を提供することができる。
【００２４】
第２の発明は、特に第１の発明の磁気遮蔽手段を主軸受の外周面に透磁率の高い磁性体でできた円筒シートで覆うことで形成することにより、透磁率の高い磁性体でできた円筒シートにより、回転子から漏れでて主軸受へ通る磁束を遮り、軸受部の渦電流損失を低減することができ、電動機の入力の増加を抑制した効率の高い密閉型電動圧縮機を提供することができる。
【００２５】
第３の発明は、特に第１の発明の磁気遮蔽手段を回転子が主軸受とオーバーラップするラップ部内の回転子側の外周に透磁率の高い磁性体でできた円筒形のシートで覆うことで、透磁率の高い磁性体でできた円筒形シートを軸受から離して配設することができ、磁束の影響をさらに抑制することで、軸受部の渦電流損失を低減し、さらに電動機の入力の増加を抑制した効率の高い密閉型電動圧縮機を提供することができる。
【００２６】
第４の発明は、特に第１の発明の磁気遮蔽手段を回転子の端面上部に円筒状に主軸受を囲む透磁率の高い磁性体でできた円筒状のシートを配設することにより、回転子の端面から主軸受に漏れる磁束を透磁率の高い磁性体でできた円筒状のシートで遮り、主軸受部の渦電流損を低減し、さらに電動機の入力の増加を抑制した効率の高い密閉型電動圧縮機を提供することができる。
【００２７】
第５の発明は、特に第１から第４の発明の透磁率の高い磁性体を多重に構成したもので、多重にすることでさらに透磁率が高くなり磁束を遮蔽する効果が増大し、さらに軸受部の渦電流損を低減し、電動機の入力の増加を抑制した効率の高い密閉型電動圧縮機を提供することができる。
【００２８】
第６の発明は、特に第１から第５の発明の透磁率の高い磁性体の材質をパーマロイとしたもので高い磁気遮蔽効果を出すことができ、磁性体の量を抑制しつつ電動機の入力の増加を抑制することができ、小型で効率の高い密閉型電動圧縮機を提供することができる。
【００２９】
第７の発明は、特に第１から第５の発明の透磁率の高い磁性体の材質を珪素鋼板としたもので高い磁気遮蔽効果と、低コストで磁性体の量を抑制しつつ電動機の入力の増加を抑制できる低コストで効率の高い密閉型電動圧縮機を提供することができる。
【００３０】
第８の発明は、圧縮機、放熱器、減圧装置、吸熱器を配管によって環状に連結した冷媒回路を有し、前記圧縮機を第１から第７のいずれか１つの発明の密閉型圧縮機とした冷凍装置であることにより、電動機の入力の増加を抑制した効率の高い密閉型圧縮機の搭載によって冷凍装置の消費電力を低減し、省エネルギー化を実現することができる。
【００３１】
以下、本発明の実施の形態について、図面を参照しながら説明する。なお、この実施の形態によってこの発明が限定されるものではない。
（実施の形態１）
図1は本発明の実施の形態１における密閉型電動圧縮機の縦断面図、図２は同実施の形態における密閉型電動圧縮機の回転子と軸受部の断面図である。
【００３２】
図１において、密閉容器１０１内には、電動要素１０２とこの電動要素１０２により回転駆動される圧縮要素１０４がそれぞれ収納され底部にオイル１０６を貯留している。圧縮要素１０４は電動要素１０２の上部に一体に組み立てられ、複数のコイルバネ１０８により密閉容器１０１内に弾性的に支持されている。
【００３３】
圧縮要素１０４は、主軸部１１０とツバ部１１２を介して形成された偏心軸部１１４を備えたシャフト１１６と、圧縮室１２０を形成するシリンダブロック１２２と、シリンダブロック１２２に設けられ主軸部１１０を支持する主軸受１２６と、圧縮室１２０内で往復運動するピストン１２８と、ピストン１２８と偏心軸部１１４とを連結するコンロッド１３０を備え、レシプロ式圧縮機を形成している。
【００３４】
シリンダブロック１２２は、剛性のある鋳物の磁性体でできている。シャフト１１６は、一端が密閉容器１０１内に貯留したオイル１０６に連通した給油機構１３２と、主軸部１１０に給油機構１３２によって汲み上げられたオイル１０６の一部を上端面１３４に供給する給油溝１３８を有している。
【００３５】
電動要素１０２は、回転子１４０の回転子鉄心１４２に磁気エネルギーの大きい希土類の永久磁石１４４を内蔵し誘導電動機として始動し同期回転数近くで同期運転に移行する誘導同期電動機であり、シリンダブロック１２２の下方に固定された固定子１４６と主軸部１１０に回転子鉄心１４２を焼嵌め等で固定された回転子１４０とから構成されている。
シリンダブロック１２２の下方の側面の外周に密着して、透磁率の高い磁性体でできた円筒形の磁束を遮蔽するシート１６０で覆われている。より望ましくは、主軸受１２６の下方側面に密着して、透磁率の高い磁性体でできた円筒形の磁束を遮蔽するシート１６０で覆われている。
【００３６】
以上のように構成された密閉型電動圧縮機について、以下その動作、作用を説明する。
【００３７】
電動要素１０２の固定子１４６に外部電源（図示せず）より通電がされると、回転子１４０は始動時に誘導電動機として始動し回転を始める。そして回転子１４０が加速され最大トルクを超え瞬時に同期速度に引き込まれ、誘導同期電動機として定常運転を継続する。
【００３８】
回転子１４０が回転するとこれに伴ってシャフト１１６が回転し、偏心軸部１１４の運動がコンロッド１３０を介してピストン１２８に伝わることでピストン１２８は圧縮室１２０内で往復運動を行い、圧縮要素１０４が所定の圧縮動作を行う。
【００３９】
次に永久磁石１４４ａ，１４４ｂの磁束の流れを図２の矢印線で概念的に説明する。
【００４０】
上部２個の永久磁石１４４ａから出た磁束は、回転子１４０と主軸受１２６とがオーバーラップするラップ部１５４の外周に近い回転子鉄心１４２を集中的に通って下部の２個の永久磁石１４４ｂに吸い込まれていく。
【００４１】
このとき、回転子鉄心１４２は部分的に狭い磁路が形成されているので、磁束密度が非常に高い値となり磁束が主軸受１２６に漏れ出そうとする。しかし主軸受１２６の外周は透磁率の高い磁性体でできた円筒形の磁束を遮蔽するシート１６０で覆われているので回転子に内蔵された永久磁石からの漏れ磁束を遮蔽でき、磁束が主軸受１２６に流れ込んで
主軸受１２６内で鉄損（特に渦電流損）を生じるといったロスは発生しない。
【００４２】
従って、電動機の入力の増加を抑制した高効率の密閉型電動圧縮機を提供することができる。さらに、本実施の形態においては、透磁率の高い磁性体を、多重にすることで、さらに透磁率が高くなり、磁束を遮蔽する効果が増大し、磁気遮蔽効果を向上することができる。
【００４３】
また、透磁率の高い磁性体の材質をパーマロイにすることにより、高い磁気遮蔽効果を出すことができ、パーマロイの量を抑制しつつ電動機の入力の増加を抑制した小型で効率の高い密閉型電動圧縮機を提供することができる。さらに、透磁率の高い磁性体の材質を珪素鋼板とすることで、高い磁気遮蔽効果で珪素鋼板の量を抑制しつつ入力の増加を抑制できるので、生産性と効率の高い密閉型電動圧縮機を提供することができる。
（実施の形態２）
図３は、本発明の実施の形態２における密閉電動型圧縮機の縦断面図、図４は同実施の形態における密閉型電動圧縮機の回転子と軸受部の断面図である。
【００４４】
図３において、密閉容器２０１内には、電動要素２０２とこの電動要素２０２により回転駆動される圧縮要素２０４がそれぞれ収納され底部にオイル２０６を貯留している。圧縮要素２０４は電動要素２０２の上部に一体に組み立てられ、複数のコイルバネ２０８により密閉容器２０１内に弾性的に支持されている。
【００４５】
圧縮要素２０４は、主軸部２１０とツバ部２１２を介して形成された偏心軸部２１４を備えたシャフト２１６と、圧縮室２２０を形成するシリンダブロック２２２と、シリンダブロック２２２に設けられ主軸部２１０を支持する主軸受２２６と、圧縮室２２０内で往復運動するピストン２２８と、ピストン２２８と偏心軸部２１４とを連結するコンロッド２３０を備え、レシプロ式圧縮機を形成している。
【００４６】
シリンダブロック２２２は、剛性のある鋳物の磁性体でできている。シャフト２１６は、一端が密閉容器２０１内に貯留したオイル２０６に連通した給油機構２３２と、主軸部２１０に給油機構２３２によって汲み上げられたオイル２０６の一部を上端面２３４に供給する給油溝２３８を有している。
【００４７】
電動要素２０２は、回転子２４０の回転子鉄心２４２に磁気エネルギーの大きい希土類の永久磁石２４４を内蔵し誘導電動機として始動し、同期回転数近くで同期運転に移行する誘導同期電動機であり、シリンダブロック２２２の下方に固定された固定子２４６と主軸部２１０に回転子鉄心２４２を焼嵌め等で固定された回転子２４０とから構成されている。
【００４８】
回転子２４０と主軸受２２６とがオーバーラップする部分にラップ部（空間）２５４を設ける。このラップ部２５４内に、回転子側の外周に密着するように、透磁率の高い磁性体でできた磁束を遮蔽するシート２６０が覆われている。また、ラップ部２５４内に設けられた磁束を遮蔽するシート２６０と主軸受２２６との間には空間がある。
【００４９】
以上のように構成された密閉型電動圧縮機について、以下その動作、作用を説明する。
【００５０】
電動要素２０２の固定子２４６に外部電源（図示せず）より通電がされると、回転子２４０は始動時に誘導電動機として始動し回転を始める。そして回転子２４０が加速され最大トルクを超え瞬時に同期速度に引き込まれ誘導同期電動機として定常運転を継続する。
【００５１】
回転子２４０が回転するとこれに伴ってシャフト２１６が回転し、偏心軸部２１４の運
動がコンロッド２３０を介してピストン２２８に伝わることでピストン２２８は圧縮室２２０内で往復運動を行い、圧縮要素２０４が所定の圧縮動作を行う。
【００５２】
次に永久磁石２４４ａ，２４４ｂの磁束の流れを図４の矢印線で概念的に説明する。
【００５３】
上部２個の永久磁石２４４ａから出た磁束はラップ部２５４の外周に近い回転子鉄心２４２を集中的に通って下部の２個の永久磁石２４４ｂに吸い込まれていく。
【００５４】
このとき、回転子鉄心２４２は部分的に狭い磁路が形成されているので、磁束密度が非常に高い値となり磁束が主軸受２２６に漏れ出そうとする。しかし、ラップ部２５４は透磁率の高い磁性体の磁束を遮蔽するシート２６０で覆われ磁束が遮断されているので、磁束が主軸受２２６に流れ込んで主軸受２２６内で鉄損（特に渦電流損）を生じるといったロスは発生しない。
【００５５】
従って、電動機の入力の増加を抑制した高効率の密閉型電動圧縮機を提供することができる。さらに、本実施の形態においては、透磁率の高い磁性体を、多重にすることで、さらに透磁率が高くなり磁束を遮蔽する効果が増大し、磁気遮蔽効果を向上することができる。
【００５６】
また、透磁率の高い磁性体の材質をパーマロイにすることにより、高い磁気遮蔽効果を出すことができ、パーマロイの量を抑制しつつ電動機の入力の増加を抑制する小型で効率の高い密閉型電動圧縮機を提供することができる。また、透磁率の高い磁性体の材質を珪素鋼板とすることにより、高い磁気遮蔽効果で珪素鋼板の量を抑制しつつ電動機の入力の増加を抑制できるので生産性と効率の高い密閉型電動圧縮機を提供することができる。
（実施の形態３）
図５は、本発明の実施の形態３における密閉電動型圧縮機の縦断面図、図６は同実施の形態における密閉型電動圧縮機の回転子と軸受部の断面図である。
【００５７】
図５において、密閉容器３０１内には、電動要素３０２とこの電動要素３０２により回転駆動される圧縮要素３０４がそれぞれ収納され底部にオイル３０６を貯留している。圧縮要素３０４は電動要素３０２の上部に一体に組み立てられ、複数のコイルバネ３０８により密閉容器３０１内に弾性的に支持されている。
【００５８】
圧縮要素３０４は、主軸部３１０とツバ部３１２を介して形成された偏心軸部３１４を備えたシャフト３１６と、圧縮室３２０を形成するシリンダブロック３２２と、シリンダブロック３２２に設けられ主軸部３１０を支持する主軸受３２６と、圧縮室３２０内で往復運動するピストン３２８と、ピストン３２８と偏心軸部３１４とを連結するコンロッド３３０を備え、レシプロ式圧縮機を形成している。
【００５９】
シリンダブロック３２２は、剛性のある鋳物の磁性体でできている。シャフト３１６は、一端が密閉容器３０１内に貯留したオイル３０６に連通した給油機構３３２と、主軸部３１０に給油機構３３２によって汲み上げられたオイル３０６の一部を上端面３３４に供給する給油溝３３８を有している。
【００６０】
電動要素３０２は、回転子３４０の回転子鉄心３４２に磁気エネルギーの大きい希土類の永久磁石３４４を内蔵し誘導電動機として始動し同期回転数近くで同期運転に移行する誘導同期電動機であり、シリンダブロック３２２の下方に固定された固定子３４６と主軸部３１０に回転子鉄心３４２を焼嵌め等で固定された回転子３４０とから構成されている。
【００６１】
回転子３４０の圧縮要素３０４側の回転子３４０の端面上部３４３は円筒状に主軸受３２６を囲むように透磁率の高い磁性体でできた円筒形の磁束を遮蔽するシート３６０が配設されている。
【００６２】
言い換えると、回転子３４０と主軸受３２６とがオーバーラップするラップ部３５４の上部にシャフト３１６を包むように透磁率の高い磁性体でできた円筒形の磁束を遮蔽するシート３６０が配設されている。
【００６３】
以上のように構成された密閉型電動圧縮機について、以下その動作、作用を説明する。
【００６４】
電動要素３０２の固定子３４６に外部電源（図示せず）より通電がされると、回転子３４０は始動時に誘導電動機として始動し回転を始める。そして回転子３４０が加速され最大トルクを超え瞬時に同期速度に引き込まれ誘導同期電動機として定常運転を継続する。
【００６５】
回転子３４０が回転するとこれに伴ってシャフト３１６が回転し、偏心軸部３１４の運動がコンロッド３３０を介してピストン３２８に伝わることでピストン３２８は圧縮室３２０内で往復運動を行い、圧縮要素３０４が所定の圧縮動作を行う。
【００６６】
次に永久磁石３４４ａ，３４４ｂの磁束の流れを図６の矢印線で概念的に説明すると、上部２個の永久磁石３４４ａから出た磁束はラップ部３５４の外周に近い回転子鉄心３４２を集中的に通って下部の２個の永久磁石３４４ｂに吸い込まれていく。このとき、回転子鉄心３４２は部分的に狭い磁路が形成されているので、磁束密度が非常に高い値となり磁束が回転子の端面を経由して主軸受３２６に漏れ出そうとする。
【００６７】
しかし回転子の端面上部３４３に構成された筒状の透磁率の高い磁性体により磁束が遮蔽でき、磁束が主軸受３２６に流れ込んで主軸受３２６内で鉄損（特に渦電流損）を生じるといったロスは発生しない。従って、電動機の入力の増加を抑制した高効率の密閉型電動圧縮機を提供することができる。
【００６８】
さらに、本実施の形態においては、透磁率の高い磁性体を、多重にすることで、さらに透磁率が高くなり磁束を遮蔽する効果が増大し、磁気遮蔽効果を向上することができる。
【００６９】
また、透磁率の高い磁性体の材質をパーマロイにすることにより、高い磁気遮蔽効果を出すことができ、パーマロイの量を抑制しつつ電動機の入力の増加を抑制する小型で効率の高い密閉型電動圧縮機を提供することができる。さらに、透磁率の高い磁性体を珪素鋼板とすることで、高い磁気遮蔽効果と低コストで、珪素鋼板の量を抑制しつつ電動機の入力の増加を抑制できる生産性と効率の高い密閉型電動圧縮機を提供することができる。
（実施の形態４）
図７は、本発明の実施の形態４における冷凍装置の構成を示す模式図である。ここで、冷媒回路には、実施の形態１から３で説明した密閉型電動圧縮機を搭載した構成とし、冷凍装置の基本構成の概略について説明する。
【００７０】
図７において、冷凍装置は、一面が開口した断熱性の箱体とその開口を開閉する扉体構成の本体４０１と、本体４０１の内部を、物品の貯蔵空間４０３と機械室４０５に区画する区画壁４０７と、貯蔵空間４０３内を冷却する冷媒回路４０９を具備している。
【００７１】
冷媒回路４０９は、圧縮機４１１として実施の形態１から３で説明した密閉型電動圧縮機と、放熱器４１３と、減圧装置４１５と、吸熱器４１７を環状に配管接続した構成となっている。
【００７２】
そして、吸熱器４１７は、送風機（図示せず）を具備した貯蔵空間４０３内に配置されている。吸熱器４１７の冷却熱は、矢印で示すように、送風機によって貯蔵空間４０３内を循環するように撹拌される。
【００７３】
以上説明した冷凍装置に、圧縮機４１１として本発明の実施の形態１における密閉型電動圧縮機を搭載したことにより、圧縮機４１１の入力の増加が抑制され、効率が向上しているので、冷凍装置の消費電力が低減でき、省エネルギー化を実現することができる。
【産業上の利用可能性】
【００７４】
以上のように、本発明にかかる密閉型電動圧縮機は、電動要素に誘導同期電動機を使用し回転子と主軸受との間に磁気遮蔽手段を配設したことで、軸受部の鉄損を低減し、入力の増加を抑制することができるので、自販機、冷凍ショーケース、除湿機などの用途にも適用できる。
【符号の説明】
【００７５】
１０１、２０１、３０１  密閉容器
１０２、２０２、３０２  電動要素
１０４、２０４、３０４  圧縮要素
１０６、２０６、３０６  オイル
１０８、２０８、３０８  コイルバネ
１１０、２１０、３１０  主軸部
１１２、２１２、３１２  ツバ部
１１４、２１４、３１４  偏心軸部
１１６、２１６、３１６  シャフト
１２０、２２０、３２０  圧縮室
１２２、２２２、３２２  シリンダブロック
１２６、２２６、３２６  主軸受
１２８、２２８、３２８  ピストン
１３０、２３０、３３０  コンロッド
１３２、２３２、３３２  給油機構
１３４、２３４、３３４  上端面
１３８、２３８、３３８  給油溝
１４０、２４０、３４０  回転子
１４２、２４２、３４２  回転子鉄心
３４３  回転子の端面上部
１４４、２４４、３４４  永久磁石
１４６、２４６、３４６  固定子
１５２、２５２、３５２  スラスト軸受
１５４、２５４、３５４  ラップ部
１６０、２６０、３６０  磁束を遮蔽するシート
【図１】
2014202068.tif 000003
【図２】
2014202068.tif 000004
【図３】
2014202068.tif 000005
【図４】
2014202068.tif 000006
【図５】
2014202068.tif 000007
【図６】
2014202068.tif 000008
【図７】
2014202068.tif 000009
【図８】
2014202068.tif 000010
【図９】
2014202068.tif 000011